(57)【要約】【課題】      急勾配法面の構築においてもＬ字状型枠材を使用する必要がなく、盛土材とジオグリッドのみで強固な盛土構造を得ることが可能な、盛土の補強工法を提供する。【解決手段】  長尺のジオグリッド端部上に盛土した後、盛土の一方の法面部を包み込むようジオグリッドを巻き返して盛土上に敷設し、さらにその上に盛土したのち新たな盛土の一方の法面部を包み込むように同様にジオグリッドを巻き返して盛土上に敷設し、このような盛土及びジオグリッドの巻き返し敷設の操作を順次繰り返して多段に行なうことを特徴とする盛土の補強工法。【選択図】    図２
2005232687.tif 000002
【特許請求の範囲】
【請求項１】
長尺のジオグリッド端部上に盛土した後、盛土の一方の法面部を包み込むようジオグリッドを巻き返して盛土上に敷設し、さらにその上に盛土したのち新たな盛土の一方の法面部を包み込むように同様にジオグリッドを巻き返して盛土上に敷設し、このような盛土及びジオグリッドの巻き返し敷設の操作を順次繰り返して多段に行なうことを特徴とする盛土の補強工法。
【請求項２】
ジオグリッドの巻き返し部のない法面部を、別のジオグリッド又は金属製枠で覆うと共に、敷設済みのジオグリッドと連結することを特徴とする請求項１記載の盛土の補強工法。
【請求項３】
山側法面及び谷側法面双方のジオグリッドの巻き返し部のない法面部を、別のジオグリッド又は金属製枠で覆うと共に、敷設済みのジオグリッドと連結することを特徴とする請求項２記載の盛土の補強工法。
【請求項４】
谷側法面におけるジオグリッドの巻き返し部のない法面部のみを別のジオグリッド又は金属製枠で覆うと共に、敷設済みのジオグリッドと連結することを特徴とする請求項２記載の盛土の補強工法。
【請求項５】
谷側法面の前面に、壁体を設けることを特徴とする請求項１又は２記載の盛土の補強工法。
【請求項６】
盛土材が土嚢である請求項１〜５記載の盛土の補強工法。
【発明の詳細な説明】
【技術分野】
【０００１】
本発明は、ジオグリッドによる盛土補強工法の改良に関する。尚、本発明における盛土なる用語は、土嚢積みを包含する意で用いられる。
【背景技術】
【０００２】
道路、堤防、造成地などの構築に際し、盛土部を補強するためにジオグリッドを埋設することが行なわれている。一般にはカーボンブラックを配合したポリエチレンやポリプロピレンの孔開きシートを一軸又は二軸に延伸して得られる網状体が、強度、耐水性等に優れているところから重用されている。通常これらは、盛土中に多段に敷設されており、法面の崩壊防止に大きな効果を発揮している。しかしながら垂直あるいはそれに近い急勾配法面においては、山側からの土圧に基づき、谷側に滑り崩壊が起こり易く、そのため法面前面にＬ字状格子型枠を設置したり、土嚢積みを行なったりして対処している。
【０００３】
一方、簡易的な法面補強として土嚢積みが知られており、上方からの荷重、圧力に対しては大きな安定性を示すが、土嚢間の連続性がないため水平力に対しては滑動し易いという難点を有しており、垂直あるいはそれに近い急勾配法面形成に際しては、滑り崩壊に留意した対策が必要である。
【発明の開示】
【発明が解決しようとする課題】
【０００４】
そこで本発明の目的は、垂直法面の構築においてもＬ字状型枠材を使用する必要がなく、盛土材とジオグリッドのみで強固な盛土構造を得ることが可能な盛土の補強工法を提供することにある。本発明の他の目的は、ジオグリッドを使用した土嚢積みにおいて、垂直法面を形成する場合においても安定した構造を得ることができる盛土の補強工法を提供することにある。
【課題を解決するための手段】
【０００５】
本発明においては、長尺のジオグリッド端部上に盛土した後、盛土の一方の法面部を包み込むようジオグリッドを巻き返して盛土上に敷設し、さらにその上に盛土したのち新たな盛土の一方の法面部を包み込むように同様にジオグリッドを巻き返して盛土上に敷設し、このような盛土及びジオグリッドの巻き返し敷設の操作を順次繰り返して多段に行なうことを特徴とする盛土の補強工法が提供される。
【０００６】
この工法では、ジオグリッドの巻き返し部のない法面部が生じるが、これを別のジオグリッド又は金属製枠で覆うと共に、敷設済みのジオグリッドと連結することが好ましい。このような操作は、山側法面及び谷側法面双方のジオグリッドの巻き返し部のない法面部に施してもよく、また谷側法面におけるジオグリッドの巻き返し部のない法面部のみに行なってもよい。また谷側法面にこのような操作を施す代わりに、谷側法面の前面に、壁体を設けてもい。上記のような補強工法は、土嚢積みにおいても適用することができる。
【発明の効果】
【０００７】
本発明によれば、垂直法面のような急勾配法面においても、崩壊に対して抵抗力のある法面を形成することができる。
【発明を実施するための最良の形態】
【０００８】
図１は、長尺のジオグリッド１の上に盛土層２を設けたのち、ジオグリッドを巻き返して盛土層の上に敷設する操作を繰り返し、ジオグリッドを補強層として有する９段の盛土を行なった図面である。ジオグリッドとして１シートのものが使用されているが、施工性を考慮すればより短尺のものを複数枚連結して使用してもよい。連続シートをを使用することにより、盛土層全体の一体性が高まり、それに伴い、盛土層の安定性も高くなっている。
【０００９】
図２は、図１の態様において、短尺のジオグリッド３により、両法面のジオグリッドで覆われていない法面部を全て包み込むようにしたものであって、その部分における法面崩壊を予防するものである。それぞれのジオグリッド３は、盛土前にその一部がかかる様にその一端をジオグリッド１と連結され、盛土後に法面に沿って巻き返し、盛土上に敷設されてくるジオグリッド１と連結されることによって設けられている。ジオグリッド３は、ジオグリッド１に連結しなくても効果はあるが、両端をジオグリッド１に連結することにより、盛土層の安定性を一層高めることができる。
【００１０】
図３は、図２の態様において、一方の法面にはジオグリッド３による補強を省略した例である。図面右方が地山や擁壁などである場合には、このような補強を省略しての問題はない。
【００１１】
図４は、図２の態様において、片側法面のジオグリッド３による補強を省略した代わりに、壁体４を法面に当設するように設けることによって、土圧による未補強面における崩壊を防止するものである。
【００１２】
図５は、図２の態様において、盛土材が土嚢である場合であり、土嚢間のすべりによる崩壊をジオグリッド１及び３により防止している。
【００１３】
図２〜図５の態様においては、いずれも長尺のジオグリッド１で覆われていない法面の一部又は全部を短尺のジオグリッド３により覆うものであったが、短尺のジオグリッド３の代わりに、格子状の金属製枠（図示しない）を使用することができる。金属製枠としては例えば盛土工事に多用されている溶接金網を使用することができる。金属製枠は平板上のものでも良いが、図示する短尺のジオグリッド３と同様、上下に折り曲げ部を有するものかあるいは上下いずれか一方に折り曲げ部を有するものが好ましく、いずれも長尺のジオグリッド３と連結して固定することが好ましい。
【図面の簡単な説明】
【００１４】
【図１】本発明の盛土補強工法の１実施例を示す図面である。
【図２】両法面をさらに短尺のジオグリッドで補強した図面である。
【図３】片側法面のみ短尺のジオグリッドで補強した図面である。
【図４】片側法面を短尺のジオグリッドで補強し、片側法面を抗土圧壁体で補強した図面である。
【図５】土嚢積みに本発明の盛土補強工法を適用した図面である。
【符号の説明】
【００１５】
１    ジオグリッド
２    盛土
３    ジオグリッド
４    壁体
５    土嚢
【図１】
2005232687.tif 000003
【図２】
2005232687.tif 000004
【図３】
2005232687.tif 000005
【図４】
2005232687.tif 000006
【図５】
2005232687.tif 000007